(57)【特許請求の範囲】
【請求項１】
電話回線を利用したデータ通信中に、受信したデータ信号から４００Ｈｚの信号成分を抽出し抽出した４００Ｈｚの信号成分からエネルギ波形を生成する抽出手段と、
前記抽出手段によって抽出された４００Ｈｚの信号成分から生成されたエネルギ波形の隣接する極大点および極小点におけるエネルギ値の差分の絶対値が所定の許容誤差範囲内であることを確認することにより、第三者からの着信を示すキャッチホン信号の、４００Ｈｚ信号を１６Ｈｚ信号で変調した先頭の信号を検知する検知手段と、
前記検知手段が前記キャッチホン信号の先頭の信号を検知したら、その後に続いて受信する信号をリトレーニング信号と誤認しないようにするためＶ．２３信号の受信モードに切り替える切替手段と、
前記Ｖ．２３信号の受信モードでＤＴＭＦ信号及び前記第三者の電話番号情報を含む番号表示信号をＶ．２３信号として受信したら、前記番号表示信号の電話番号情報を表示する表示手段と、
を備えることを特徴とする通信装置。
【請求項２】
電話回線を利用したデータ通信中に、受信したデータ信号から４００Ｈｚの信号成分を抽出し抽出した４００Ｈｚの信号成分からエネルギ波形を生成し、
抽出された４００Ｈｚの信号成分から生成されたエネルギ波形の隣接する極大点および極小点におけるエネルギ値の差分の絶対値が所定の許容誤差範囲内であることを確認することにより、第三者からの着信を示すキャッチホン信号の、４００Ｈｚ信号を１６Ｈｚ信号で変調した先頭の信号を検知し、
前記キャッチホン信号の先頭の信号が検知されたら、その後に続いて受信する信号をリトレーニング信号と誤認しないようにするためＶ．２３信号の受信モードに切り替え、
前記Ｖ．２３信号の受信モードでＤＴＭＦ信号及び前記第三者の電話番号情報を含む番号表示信号をＶ．２３信号として受信したら、前記番号表示信号の電話番号情報を表示する、
ことを特徴とする通信制御方法。
【発明の詳細な説明】
【０００１】
【発明の属する技術分野】
本発明は、電話回線を使用してデータ通信を行うための通信装置並びに通信制御方法に関する。
【０００２】
【従来の技術】
キャッチホン・サービスは、通話中の電話に新たに第三者から着信があった場合に、加入者線交換機がキャッチホン信号（通話中着信表示音）を送出することにより音声でユーザに通知し、ユーザが通話中の相手を一時的に保留にして、新しく着信した相手と通話することを可能とするサービスである。しかし、電話回線を利用したパソコン通信等において、モデム装置が、キャッチホン信号とデータ信号が混在する信号をそのままディジタル信号に変換してしまうと、正常な通信が不能となる場合がある。また、ファクシミリ通信において、そのようなキャッチホン信号が混入すると、受信する画像情報が乱されることがある。そこで、データ通信中にキャッチホン・サービスが入ったことを自動的にユーザに報知するために、従来よりモデム装置でキャッチホン信号を検知する方法が知られている。先行技術として、特開平１０−１２６５１８号公報には、モデム装置において、キャッチホン信号に含まれる４００Ｈｚの信号から構成される信号を検出するための装置が開示されている。より具体的には、その装置は、バンドパスフィルタを用いて４００Ｈｚの信号以外の周波数成分を減衰させ、４００Ｈｚの信号成分を抜き出し、これを検知するものである。
【０００３】
【発明が解決しようとする課題】
しかしながら、この方法においては、通常のキャッチホン信号の先頭の信号（４００Ｈｚを１６Ｈｚで変調した信号）の後に続く４００Ｈｚの信号を検出することから、先頭の信号の直後に別の信号が続くときには、検出対象ととする４００Ｈｚの信号を確実に検知することができない場合がある。
【０００４】
ここで、図６（ａ）及び（ｂ）は、キャッチホン信号及びキャッチホンディスプレイ信号の信号送出形式をそれぞれ示す図である。データ通信中（或いは、通話中）に新たに第三者からの着信があると、その着信をユーザに通知するためのこのような信号が加入者線交換機から送出される。図６（ａ）は、通常のキャッチホン信号２００であり、まず先頭の信号として４００Ｈｚを１６Ｈｚの信号で変調した信号（図７参照）２０１が送出され、その後、４００Ｈｚの信号２０２，２０３，２０４が所定の時間間隔で断続的に送出される。図６（ｂ）は、番号表示信号を含むキャッチホンディスプレイ信号２５０であり、キャッチホン信号２００と同様に、まず先頭の信号として４００Ｈｚを１６Ｈｚの信号で変調した信号２５１が送出されるが、その直後に、ＤＴＭＦ信号（Ｃ及びＤ）２５２，２５３、及び発信元の電話番号情報を含むＩＴＵ−Ｔ勧告Ｖ２．３に準拠したＭＯＤＥＭ信号（番号表示信号）２５４が送出され、その後、４００Ｈｚの信号２５５，２５６が所定の時間間隔で断続的に送出される。
【０００５】
従って、前述の先行技術の場合では、キャッチホンディスプレイ信号２５０の先頭の信号２５１に続いてＤＴＭＦ信号２５２，２５３を受信することにより、これをリトレーニング信号と誤認し、キャッチホン信号の検知処理を行わずに、リトレーニング処理に移行してしまうという問題があった。
【０００６】
本発明は、このような知見に基づいてなされたものであり、送出されたキャッチホン信号若しくはキャッチホンディスプレイ信号の先頭の信号の後に続いてＤＴＭＦ信号と番号表示信号が送出される場合でも、ＤＴＭＦ信号を誤認することなく受信して番号表示を可能とする通信装置並びに通信制御方法を提供することを目的とする。尚、以下では、特に明示した場合を除き、用語「キャッチホン信号」には、上述のキャッチホンディスプレイ信号が含まれるものとする。
【０００７】
【課題を解決するための手段】
上記目的を達成するために、本発明は、電話回線を利用したデータ通信中に、受信したデータ信号から４００Ｈｚの信号成分を抽出し抽出した４００Ｈｚの信号成分からエネルギ波形を生成する抽出手段と、前記抽出手段によって抽出された４００Ｈｚの信号成分から生成されたエネルギ波形の隣接する極大点および極小点におけるエネルギ値の差分の絶対値が所定の許容誤差範囲内であることを確認することにより、第三者からの着信を示すキャッチホン信号の、４００Ｈｚ信号を１６Ｈｚ信号で変調した先頭の信号を検知する検知手段と、前記検知手段が前記キャッチホン信号の先頭の信号を検知したら、その後に続いて受信する信号をリトレーニング信号と誤認しないようにするためＶ．２３信号の受信モードに切り替える切替手段と、前記Ｖ．２３信号の受信モードでＤＴＭＦ信号及び前記第三者の電話番号情報を含む番号表示信号をＶ．２３信号として受信したら、前記番号表示信号の電話番号情報を表示する表示手段と、を備えるように構成したものである。
【０００８】
【発明の実施の形態】
本発明の第１の態様は、電話回線を利用したデータ通信中に、受信したデータ信号から４００Ｈｚの信号成分を抽出し抽出した４００Ｈｚの信号成分からエネルギ波形を生成する抽出手段と、前記抽出手段によって抽出された４００Ｈｚの信号成分から生成されたエネルギ波形の隣接する極大点および極小点におけるエネルギ値の差分の絶対値が所定の許容誤差範囲内であることを確認することにより、第三者からの着信を示すキャッチホン信号の、４００Ｈｚ信号を１６Ｈｚ信号で変調した先頭の信号を検知する検知手段と、前記検知手段が前記キャッチホン信号の先頭の信号を検知したら、その後に続いて受信する信号をリトレーニング信号と誤認しないようにするためＶ．２３信号の受信モードに切り替える切替手段と、前記Ｖ．２３信号の受信モードでＤＴＭＦ信号及び前記第三者の電話番号情報を含む番号表示信号をＶ．２３信号として受信したら、前記番号表示信号の電話番号情報を表示する表示手段と、を備える
構成をとる。
【０００９】
この構成によれば、データ通信中に通信相手とは異なる第三者からの着信があったことを示すキャッチホン信号が受信したデータ信号中に混入した場合に、そのキャッチホン信号の先頭の信号を検出しＶ．２３信号の受信モードに切り替えるので、キャッチホン信号の先頭の信号の後に続いてＤＴＭＦ信号とキャッチホンディスプレイのための番号表示信号が送出されるような場合でも、ＤＴＭＦ信号を誤認することなく受信して番号表示を可能にすることができる。
【００１５】
本発明の第２の態様は、通信制御方法において、電話回線を利用したデータ通信中に、受信したデータ信号から４００Ｈｚの信号成分を抽出し抽出した４００Ｈｚの信号成分からエネルギ波形を生成し、抽出された４００Ｈｚの信号成分から生成されたエネルギ波形の隣接する極大点および極小点におけるエネルギ値の差分の絶対値が所定の許容誤差範囲内であることを確認することにより、第三者からの着信を示すキャッチホン信号の、４００Ｈｚ信号を１６Ｈｚ信号で変調した先頭の信号を検知し、前記キャッチホン信号の先頭の信号が検知されたら、その後に続いて受信する信号をリトレーニング信号と誤認しないようにするためＶ．２３信号の受信モードに切り替え、前記Ｖ．２３信号の受信モードでＤＴＭＦ信号及び前記第三者の電話番号情報を含む番号表示信号をＶ．２３信号として受信したら、前記番号表示信号の電話番号情報を表示する構成をとる。
【００１６】
以下、本発明の実施の形態について、添付の図面を参照して詳細に説明する。
【００１７】
図１は、本発明のモデムを備えるファックス装置の構成を示すブロック図である。このファックス装置１００には、モデム１０、ＣＰＵ２０、表示部３０、プリンタ部４０、スキャナ部５０、メモリ６０，６１が設けられている。
【００１８】
モデム１０は、データ通信を行う際に通信回線の制御やデータ信号の変復調を行うものであり、データの送信及び変調を行う送信・変調部１１、データの受信及び復調を行う受信・復調部１２、及び受信するデータ信号から４００Ｈｚの信号成分を取出す機能を有する４００Ｈｚ抽出部１３を有する。尚、説明の便宜のため、ここでのモデム１０の構成要素の区分は、必ずしも単体の装置を示すような厳密なものではなく、従って、上述のような機能はＣＰＵ２０等との関連において達成されるものである。
【００１９】
ＣＰＵ２０は、ファクシミリ機能やデータ通信機能等を制御するための中央処理装置であり、印刷やスキャン等のファクシミリ機能全般を制御するファックス制御部２１、外部とのデータ通信を制御するデータ通信制御部２２、受信した信号からキャッチホン信号を検出するためのキャッチホン信号検出部２３、及び発信元の電話番号通知するナンバー・ディスプレイ（ＮＤ）機能に関連し、受信した番号表示信号を処理するＮＤ処理部２４を有する。これらの制御及び処理は、ＲＯＭ６０に格納されるプログラムに従って実行され、各動作に必要なデータや画像情報等がＲＡＭ６１に格納される。このような構成により、本実施形態におけるファックス装置１００は、通常のファクシミリ機能に加え、加入者線交換機から送出されるキャッチホン信号を検出する機能を有する。
【００２０】
データ通信中に第三者からの着信があると、加入者交換機からキャッチホン信号が送出されてデータ信号中に混入する。ここで、４００Ｈｚ抽出部１３は、図２に示すように、受信したデータ信号から４００Ｈｚ以外の信号を取除くためのバンドパスフィルタ（ＢＰＦ）３０２と、そのバンドパスフィルタ３０２で取出された４００Ｈｚの信号成分からエネルギ波形を抽出するための積分回路３２０とを有する。従って、４００Ｈｚ抽出部１３は、電話回線から受信したキャッチホン信号が混入したデータ信号を受信・復調部１２に送る一方、そのデータ信号から４００Ｈｚの信号成分を取出し、その取出した４００Ｈｚの信号成分からエネルギ波形を生成し、キャッチホン信号検出部２３に送る。キャッチホン信号検出部２３は、４００Ｈｚ抽出部１３で得られたエネルギ波形から、目的とするキャッチホン信号の先頭の信号（即ち、１６Ｈｚで変動するエネルギ波形）を検出する。
【００２１】
図３は、４００Ｈｚ抽出部で得られたキャッチホン信号の先頭の信号に由来する４００Ｈｚの信号成分のエネルギ波形を示す図である。キャッチホン信号の先頭の信号を検出するにあたり、エネルギ波形４００が、許容上限値及び下限値を示す線４１０，４１１で囲まれる図形の範囲内にあるか否かを判定する。つまり、受信信号にはキャッチホン信号以外の信号に由来する４００Ｈｚの信号成分が含まれることを考慮して、図に示すように、極大点で［ａ］、極小点で［ｂ］の許容誤差を設定している。次に、この図３を参照しながら、キャッチホン信号の先頭の信号の検出過程について説明する。
【００２２】
図４及び図５は、図１に示すファックス装置において、４００Ｈｚの信号成分のエネルギ波形からキャッチホン信号の先頭の信号を検出する過程を示すフローである。まず、図４において、ファックス装置が起動すると検出過程がスタートし、ステップ５０１でタイマがリセットされ、Ｍがゼロに設定される。ここで、Ｍは、エネルギ波形４００において所定の対をなす極大及び極小点を識別するための番号である。次に、ステップ５０２では、タイマ≦▲１▼(sec)（タイマリセット後の経過時間が▲１▼(sec)以下の範囲を示す。以下、同様の記載についてはこれに準ずる。）でエネルギ波形に［Ａ］db以上のゲインダウンがあるか否かを判定し、そのような条件を満たすゲインダウンがなければ、先頭の信号を検出するためにステップ５０１及びステップ５０２の処理が繰り返し実行される。一方で、条件を満たすゲインダウンがあれば、ステップ５０３に進んでタイマ≦▲２▼(sec)でゲインアップがあるか否かを判定する。そこで、ゲインアップがあると判定された場合には、ステップ５０４で検出開始後の最初のエネルギの極小値であるｍｉｎ０が確定され、タイマがリセットされる。
【００２３】
次に、ステップ５０５では、▲３▼(sec)≦タイマ≦▲４▼(sec)でエネルギ波形に［Ｂ］db以上のゲインアップがあるか否かを判定し、条件を満たすゲインアップがあれば、ステップ５０６に進んでタイマ≦▲５▼でゲインダウンがあるか否かを判定する。そこで、ゲインダウンがあると判定された場合には、ステップ５０７でエネルギの極大値であるｍａｘＭ（図３のｍａｘ０参照）が確定され、タイマがリセットされる。
【００２４】
次に、ステップ５０８ではＭがゼロか否かを判定し、Ｍ＝０の場合には、ステップ５１０に進み、Ｍに１が加算される。一方、Ｍ＞０の場合には、ｍａｘＭとｍａｘ（Ｍ−１）との差分の絶対値が、予め定められた規定値（α）以下であるか否かを判定する（即ち、隣接する極大点におけるエネルギ値の差分の絶対値が所定の許容誤差範囲内であるかを確認する）。その差分が規定値以下でない場合には、最初のステップ５０１に戻り、規定値以下の場合には、ステップ５１０に進む。
【００２５】
次に、図５において、ステップ６０１では▲６▼(sec)≦タイマ≦▲７▼(sec)で［Ｂ］db以上のゲインダウンがあるか否かを判定し、条件を満たすゲインダウンがあれば、ステップ６０２に進んでタイマ≦▲８▼(sec)でゲインアップがあるか否かを判定する。そこで、ゲインアップがあると判定された場合には、ステップ６０３において、エネルギの極小値ｍｉｎＭ（図３のｍｉｎ１参照）が確定され、タイマがリセットされる。
【００２６】
次に、ステップ６０４ではｍｉｎＭとｍｉｎ（Ｍ−１）との差分の絶対値が、予め定められた規定値（β）以下の条件を満たすかを判定する（即ち、隣接する極小点におけるエネルギ値の差分の絶対値が所定の許容誤差範囲内であるかを確認する）。その差分が規定値以下でない場合には、図４の最初のステップ５０１に戻って上述の一連のステップが再度実行され、規定値以下の場合には、ステップ６０５に進んでＭ≧規定値（γ）の条件を満たすか否かを判定する。つまり、ステップ５０５からステップ６０４まで一連のステップを規定の回数（γ回）繰り返すことにより、目的とするエネルギ波形の検出をより確実なものとする。Ｍ≧規定値（γ）の条件を満たす場合には、ステップ６０６に進んで目的とするキャッチホン信号を受信したことを認識してその旨を報知する一方で、その後に続いて受信するであろうＣ，Ｄ信号（図２（ｂ）参照）をリトレーニング信号と誤認しないようにＶ２３信号の受信モードに切り替える。その後、ステップ６０７において、Ｖ．２３信号を受信した場合には、ステップ６０８において発信元の電話番号がディスプレイに表示されることで、ユーザに通知され全てのステップが終了する。一方、キャッチホン信号にＶ．２３信号が含まれない場合には、そのまま全てのステップが終了する。尚、フローには示さないが、万一キャッチホン信号エネルギが規定値［Ｃ］未満の場合は、最初のステップ５０１に戻り、一連のステップが実行される。
【００２７】
尚、上述のようなＣ，Ｄ信号をリトレーニング信号と誤認しないための方法の別法として、Ｃ，Ｄ信号をそれぞれ検知するバンドパスフィルタを設けておき、Ｃ，Ｄ信号を検知したら、モデムが信号の誤認によりリトレーニング処理の実行を開始している場合でも、その処理を中止させてＶ２３信号の受信モードに切り替えるように制御する方法もある。
【００２８】
【発明の実施の形態】
このように、本発明によれば、データ通信中に送出されたキャッチホン信号の先頭の信号を検出しＶ．２３信号の受信モードに切り替えるので、キャッチホン信号の先頭の信号の後に続いてＤＴＭＦ信号とキャッチホンディスプレイのための番号表示信号が送出されるような場合でも、ＤＴＭＦ信号を誤認することなく受信して番号表示を可能にすることができる。
【図面の簡単な説明】
【図１】本発明のモデムを備えるファックス装置の構成を示すブロック図
【図２】４００Ｈｚの信号成分のエネルギを抽出するための４００Ｈｚ抽出部を示すブロック図
【図３】キャッチホン信号の先頭の信号に由来する４００Ｈｚの信号成分のエネルギ波形を示す図
【図４】４００Ｈｚの信号成分のエネルギ波形からキャッチホン信号の先頭の信号を検出する過程を示すフロー図
【図５】４００Ｈｚの信号成分のエネルギ波形からキャッチホン信号の先頭の信号を検出する過程を示すフロー図
【図６】キャッチホン信号及びキャッチホンディスプレイ信号の信号送出形式を示す図
【図７】４００Ｈｚを１６Ｈｚで変調した信号の波形を示す図
【符号の説明】
１００  ファックス装置
２００  キャッチホン信号
２５０  キャッチホンディスプレイ信号
３０２  バンドパスフィルタ
３２０  積分回路
【図１】
0004121800.tif 000002
【図２】
0004121800.tif 000003
【図３】
0004121800.tif 000004
【図４】
0004121800.tif 000005
【図５】
0004121800.tif 000006
【図６】
0004121800.tif 000007
【図７】
0004121800.tif 000008